(57)【要約】【課題】操作部材の動きを適度に規制することができないという課題があった。【解決手段】操作装置は、ユーザ操作により可動な操作部材と、操作部材が有する被嵌合部に嵌合して操作部材の動きを規制する嵌合部を有し、嵌合部を被嵌合部に嵌合させる第１方向に付勢された弾性部材と、移動部材とを備える。移動部材は、第１方向とは逆方向の第２方向に嵌合部を移動させることにより、嵌合部が被嵌合部に嵌合する嵌合深さを減少させる。【選択図】図２
2014056703.tif 000002
【特許請求の範囲】
【請求項１】
ユーザ操作により可動な操作部材と、
前記操作部材が有する被嵌合部に嵌合して前記操作部材の動きを規制する嵌合部を有し、前記嵌合部を前記被嵌合部に嵌合させる第１方向に付勢された弾性部材と、
前記第１方向とは逆方向の第２方向に前記嵌合部を移動させることにより、前記嵌合部が前記被嵌合部に嵌合する嵌合深さを減少させる移動部材と
を備える操作装置。
【請求項２】
前記操作部材は、前記被嵌合部である凹部を有し、
前記弾性部材が有する前記嵌合部は、前記凹部に嵌合する凸部であり、
前記移動部材は、前記凸部を前記第２方向に移動させることにより、前記嵌合深さを減少させる
請求項１に記載の操作装置。
【請求項３】
前記移動部材により前記凸部が前記第２方向に最も移動した状態で、前記凸部の上端は、前記凹部の上端よりも前記凹部へ入り込んだ位置にある
請求項２に記載の操作装置。
【請求項４】
前記凹部の側部は、面取り形状を持つ上部面を有し、
前記移動部材により前記凸部が前記第２方向に最も移動した状態で、前記凸部の上端は、前記上部面が形成された高さに位置する
請求項２または３に記載の操作装置。
【請求項５】
前記上部面は、Ｃ面およびＲ面の少なくとも一方の面取り形状を有する
請求項４に記載の操作装置。
【請求項６】
前記上部面は、前記凹部の上端から、Ｒ面の面取り形状を持つ第１上部面と、前記第１上部面に連続するＣ面の面取り形状を持つ第２上部面とを有し、
前記移動部材により前記凸部が前記第２方向に最も移動した状態で、前記凸部の上端は、前記第２上部面が形成された高さに位置する
請求項４または５に記載の操作装置。
【請求項７】
前記凸部は、上端面と側面との間に曲面部を有し、
前記移動部材により前記凸部が前記第２方向に最も移動した状態で、前記凸部は、前記曲面部が前記第２上部面に当接する高さに位置する
請求項６に記載の操作装置。
【請求項８】
前記凸部が前記凹部に最も嵌合した状態で前記操作部材を操作する予め定められた力を前記操作部材に加えた場合に、前記操作部材は前記弾性部材により係止され、前記移動部材により前記凸部が前記第２方向に最も移動した状態で前記操作部材に前記予め定められた力を加えた場合に、前記操作部材は前記弾性部材により係止されずに可動する
請求項３から７のいずれか一項に記載の操作装置。
【請求項９】
前記移動部材は、前記凹部の底部から突出して前記第２方向に移動して前記凸部の上面を前記第２方向に押し込むことにより、前記凸部を前記第２方向に移動させ、
前記移動部材は、前記凹部の底部から前記凹部の上端を超えない高さまで前記第２方向に移動可能に設けられる
請求項３から８のいずれか一項に記載の操作装置。
【請求項１０】
前記弾性部材は、板状のバネ部材から形成される
請求項１から９のいずれか一項に記載の操作装置。
【請求項１１】
前記被嵌合部は、前記操作部材に複数設けられ、
前記嵌合部は、前記弾性部材に一つ設けられ、
前記操作部材の動きに応じて、一つの前記嵌合部が複数の前記被嵌合部に順次に嵌合する
請求項１から１０のいずれか一項に記載の操作装置。
【請求項１２】
前記操作部材は、回転軸の周りに回転する第１の回転式操作部材であり、
前記被嵌合部は、前記回転軸の周りに複数設けられ、
前記操作部材の回転に応じて、前記一つの嵌合部が、前記複数の被嵌合部に順次に嵌合する
請求項１１に記載の操作装置。
【請求項１３】
前記移動部材は、前記複数の被嵌合部にそれぞれ対応して設けられ、
複数の前記移動部材は、前記回転軸に沿って前記第２の方向の押下操作を受け付ける押下部材に一体に設けられ、
前記押下部材が前記第２の方向に押下されることにより、前記一つの嵌合部が嵌合している前記被嵌合部に設けられた一つの前記移動部材が、前記嵌合部を前記第２の方向に移動させる
請求項１２に記載の操作装置。
【請求項１４】
前記押下部材を、前記第１方向に付勢する付勢部材
をさらに備える請求項１３に記載の操作装置。
【請求項１５】
ユーザ操作により、前記回転軸と同軸に回転する第２の回転式操作部材
をさらに備える請求項１２から１４のいずれか一項に記載の操作装置。
【請求項１６】
請求項１から１５のいずれか一項に記載の操作装置と、
ユーザにより前記操作装置が操作されることに応じて動作する動作部と
を備える操作機器。
【発明の詳細な説明】
【技術分野】
【０００１】
本発明は、操作装置および操作機器に関する。
【背景技術】
【０００２】
回転を係止しているロックを解除するためのロックレバーを備えるダイヤルスイッチが知られている（例えば、特許文献１参照）。
［先行技術文献］
［特許文献］
［特許文献１］特開平９−４３７０４号公報
【発明の概要】
【発明が解決しようとする課題】
【０００３】
操作部材の動きを適度に規制することができないという課題があった。
【課題を解決するための手段】
【０００４】
本発明の第１の態様においては、操作装置は、ユーザ操作により可動な操作部材と、操作部材が有する被嵌合部に嵌合して操作部材の動きを規制する嵌合部を有し、嵌合部を被嵌合部に嵌合させる第１方向に付勢された弾性部材と、嵌合部を第１方向とは逆方向の第２方向に移動させることにより、嵌合部が被嵌合部に嵌合する嵌合深さを減少させる移動部材とを備える。
【０００５】
本発明の第２の態様においては、操作機器は、上記操作装置と、ユーザにより上記操作装置が操作されることに応じて動作する動作部とを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】一実施形態におけるカメラ１０の一例を示す。
【図２】操作ユニット２０の斜視分解図を示す。
【図３】操作ユニット２０として組み付けられた状態を示す。
【図４】ダイヤルユニット１００の裏側の斜視図を示す。
【図５】操作ユニット２０の断面図を示す。
【図６】凹部４１０ａに凸部３３が嵌合した状態を模式的に示す。
【図７】ロック解除釦１４０が最も押し下げられた状態を模式的に示す。
【図８】操作部材１１０が回転された状態を模式的に示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、一実施形態におけるカメラ１０の一例を示す。カメラ１０は、操作装置の一例である操作ユニット２０と、筺体８０と、ストラップ取付部９０とを有する。操作ユニット２０は、カメラ１０を操作するユーザ操作を受け付ける。カメラ１０は、操作ユニット２０に対するユーザ操作により操作される。カメラ１０は、操作機器の一例である。
【００１０】
操作ユニット２０は、撮影モードダイヤル２１と、レリーズモードダイヤル２２とを有する。撮影モードダイヤル２１およびレリーズモードダイヤル２２は、回転式の操作ユニットの一例である。撮影モードダイヤル２１およびレリーズモードダイヤル２２は、時計回りに回転可能であり、反時計回りに回転可能である。
【００１１】
撮影モードダイヤル２１は、撮影モードを切り替えるユーザ操作を受け付ける。撮影モードとしては、シャッタスピードや絞り等の撮像条件等をカメラ１０が自動的に制御するオートモード、ユーザが決定した絞り値で適正露出となるようにカメラ１０がシャッタスピードを自動的に決定する絞り優先オートモード、撮影シーンにあわせてユーザが撮影モードを選択できるシーンモード等を例示することができる。撮影モードダイヤル２１は、複数の撮影モードそれぞれに対応する複数のポジションを持つ。カメラ１０は、撮影モードダイヤル２１が回転されることによるポジションの切り替わりを電気的に検出して、現在のポジションに対応する撮影モードに従って内部の動作を制御する。例えば、カメラ１０が備えるプロセッサは、当該ポジションの切り替わりを示す信号を取得して、当該信号で示される現在のポジションに対応する撮影モードに従って動作する。例えば、現在のポジションが絞り優先オートモードに対応する場合、プロセッサは、ユーザが決定した絞り値に応じてシャッタスピードを決定する。当該プロセッサは、ユーザにより撮影モードダイヤル２１が操作されることに応じて動作する動作部の一例である。
【００１２】
レリーズモードダイヤル２２は、レリーズモードを切り替えるユーザ操作を受け付ける。レリーズモードとしては、レリーズ釦が押し込まれるごとに１回の撮影動作を行う１コマ撮影モード、レリーズ釦が押し込まれている間、撮影動作を連続して行う連続撮影モード等を例示することができる。レリーズモードダイヤル２２は、複数のレリーズモードそれぞれに対応する複数のポジションを持つ。カメラ１０は、レリーズモードダイヤル２２が回転されることによるポジションの切り替わりを電気的に検出して、現在のポジションに対応するレリーズモードに従って内部の動作を制御する。
【００１３】
操作ユニット２０は、ユーザが撮影モードダイヤル２１およびレリーズモードダイヤル２２を操作し易い位置に設けられる。例えば、操作ユニット２０は、筺体８０の角部等の端部の近傍に設けられる。筺体８０には、ショルダーストラップ等のストラップを取り付けるストラップ取付部９０が、操作ユニット２０の近傍に設けられる。
【００１４】
撮影モードダイヤル２１は、各ポジションの切り換わりをユーザが判断し易くするために、各ポジションにクリック感を発生するクリック機構を有する。また、撮影モードダイヤル２１は、ポジションの切り替わりを比較的に強く規制するロック機構を有する。同様に、レリーズモードダイヤル２２も、ロック機構およびクリック機構を有する。後述するように、撮影モードダイヤル２１のロック機構およびクリック機構は、共通の一つの部材によって提供される。また、当該一つの部材により、適度な強度のロック機構と、確実なクリック感を与えるクリック機構が提供される。本ロック機構により、例えばストラップ取付部９０に取り付けられたストラップが撮影モードダイヤル２１に当たる等して撮影モードダイヤル２１が回転してしまうことを抑制できる。また、ユーザがレリーズモードダイヤル２２を回転させる場合に、ユーザの手が撮影モードダイヤル２１に当たる等して撮影モードダイヤル２１が容易に回転してしまうことを抑制できる。
【００１５】
図２は、操作ユニット２０の斜視分解図を示す。撮影モードダイヤル２１は、ダイヤルユニット１００と、ロック・クリック部材３０とを有する。ロック・クリック部材３０は、ダイヤルユニット１００に対するロック機構およびクリック機構を提供する。レリーズモードダイヤル２２は、ダイヤルユニット２００と、クリック部材４０と、ロック部材５０とを有する。撮影モードダイヤル２１およびレリーズモードダイヤル２２は、筺体８０に固定される台座６０上に設けられる。
【００１６】
ダイヤルユニット１００は、ユーザ操作により可動な操作部材１１０と、バネ部材１３０と、ロック解除釦１４０と、防滴モルト１６０と、ロック解除釦押さえ板１７０と、両面テープ１８０と、天板１９０とを含む。
【００１７】
図３は、操作ユニット２０の組み付け例を示す。図３は、台座６０に組み付けられた状態の操作部材２１０、クリック部材４０およびロック・クリック部材３０と、ダイヤルユニット１００とを示す。ロック・クリック部材３０は、ネジ３８によって台座６０に対して固定される。操作部材２１０の外周部には、ユーザが手で操作部材２１０を回転させる場合に手の引っ掛かりを高める凹凸部２１１が形成される。図３では、操作部材１１０、バネ部材１３０、ロック解除釦１４０、防滴モルト１６０、ロック解除釦押さえ板１７０、両面テープ１８０および天板１９０が組み付けられ、台座６０に固定されていない状態のダイヤルユニット１００を示す。
【００１８】
図４は、ダイヤルユニット１００の裏側の構造を示す斜視図である。本実施形態の説明において、便宜上、天板１９０側をダイヤルユニット１００の表側と呼び、回動軸１１６を持つ側をダイヤルユニット１００の裏側と呼ぶ場合がある。
【００１９】
図５は、操作ユニット２０の回転軸Ａに沿った断面図を示す。図５は、ダイヤルユニット１００、ロック・クリック部材３０、クリック部材４０、ロック部材５０およびダイヤルユニット２００が、台座６０に組み付けられた状態を示す。撮影モードダイヤル２１は、レリーズモードダイヤル２２の上部に位置する。回転軸Ａは、撮影モードダイヤル２１およびレリーズモードダイヤル２２の回転軸である。Ｕ方向およびＤ方向は、回転軸Ａに沿う方向である。Ｄ方向とＵ方向とは互いに逆方向にある。本実施形態の説明において、便宜上、Ｕ方向に平行な方向を上方向と呼び、Ｄ方向に平行な方向を下方向と呼ぶ場合がある。操作部材１１０は、ユーザ操作により回転軸Ａを中心とした軸周りを回転する第１の回転式操作部材の一例である。ダイヤルユニット１００に対するロック機構およびクリック機構については、後述する。
【００２０】
操作部材２１０は、ユーザ操作により回転軸Ａを中心とした軸周りを回転する第２の回転式操作部材の一例である。操作部材２１０に対するロック機構は、操作部材２１０の回転運動を係止する突出部５４によって提供される。ユーザによる押下部材５２を押し込む操作に連動して操作部材２１０に対する突出部５４による係止が解除されて、操作部材２１０を回転させることが可能になる。操作部材２１０に対するクリック機構は、ばね部材であるクリック部材４０と、操作部材２１０の収容部２１４の底面部に設けられた複数の溝部によって実現される。具体的には、クリック部材４０の先端部には、溝部に嵌合する形状の突起部が形成される。操作部材２１０が回転すると、クリック部材４０の先端部の突起部は、隣接する溝部に順次に嵌合していく。ユーザは、溝部の間の山部がクリック部材４０の突起部を乗り越える際に操作部材２１０を介して伝わる感触から、ポジションが切り替わる際のクリック感を得ることができる。
【００２１】
ダイヤルユニット１００が有する各部材を説明する。操作部材１１０は、台座６０の収容部６６に収容される回動軸１１６を有する。回動軸１１６は収容部６６に回転可能に保持されて、操作部材１１０が全体として回転軸Ａの周りに回転可能となる。操作部材１１０の外周部には、ユーザが手で操作部材１１０を回転させる場合に手の引っ掛かりを高める凹凸部１１１が形成される。
【００２２】
操作部材１１０の表側には、ロック解除釦１４０の一部を収容する収容部１１４が設けられる。収容部１１４の底部１１３には、底部１１３から裏側面４２０まで貫通する複数の貫通孔１２０が設けられる。複数の貫通孔１２０は、回転軸Ａから予め定められた距離だけ離れた位置に形成されている。具体的には、複数の貫通孔１２０は、それぞれ回転軸Ａから予め定められた距離だけ離れた位置を中心とし、回転軸Ａに平行な方向に貫通した円筒形状を持つ。
【００２３】
ロック解除釦１４０は、回転軸Ａに沿って下方向の押下操作を受け付ける押下部１４２と一体に設けられた複数の押込部材１５０を有する。複数の貫通孔１２０は、ロック解除釦１４０が有する複数の押込部材１５０をそれぞれ１つずつ収容する。ロック解除釦１４０の下方向の移動は、底部１１３によって規制される。押込部材１５０の長さは、貫通孔１２０の回転軸Ａ方向の長さより長い。したがって、少なくともロック解除釦１４０が下方向に最大限に移動した状態では、図４に示すように押込部材１５０の一部が裏側面４２０から突出する。押込部材１５０の長さは、ロック解除釦１４０が上方向に最大限に移動した状態で、押込部材１５０の先端が裏側面４２０から突出しない長さであることが好ましい。
【００２４】
操作部材１１０は、底部１１３から上方向に突出する突起部１１７が設けられる。突起部１１７は、回転軸Ａを中心とする位置に設けられる。突起部１１７は、バネ部材１３０がロック解除釦１４０を上方向に付勢する向きに、バネ部材１３０を支持する。バネ部材１３０は一例としてコイルバネである。突起部１１７はコイルバネの中空部に嵌入されて、バネ部材１３０を支持する。バネ部材１３０は、ロック解除釦１４０を上方向に付勢する付勢部材の一例である。
【００２５】
収容部１１４の底部１１３には、孔部１１８が形成されている。ロック解除釦１４０は、押込部材１５０が設けられた底面から突出した突起部１４８を有する。ロック解除釦１４０の突起部１４８が孔部１１８に係合することで、ロック解除釦１４０は撮影モードダイヤル２１の回転方向に対して操作部材１１０に固定される。すなわち、ロック解除釦１４０は、操作部材１１０の回転とともに回転する。
【００２６】
操作部材１１０には、ネジ穴１１５が形成される。ネジ穴１１５には、ロック解除釦押さえ板１７０を操作部材１１０にネジ止めするネジ１７５が螺合される。ロック解除釦押さえ板１７０と、操作部材１１０との間には、防滴モルト１６０およびロック解除釦１４０が設けられる。ロック解除釦１４０の上方向への移動は、防滴モルト１６０を介してロック解除釦押さえ板１７０によって制限される。操作部材１１０の収容部１１４は、ロック解除釦１４０が回転軸Ａに沿って上方向および下方向に移動できる深さを有する。
【００２７】
ロック解除釦押さえ板１７０には、両面テープ１８０によって天板１９０が貼り付けられる。天板１９０には、マーク１９８ａ、マーク１９８ｂおよびマーク１９８ｃを含む複数のマークがプリントされる。複数のマークそれぞれは、複数の撮影モードのうちの一つの撮影モードに対応する。天板１９０には、図形を含むマークと、文字を示すマークとを含む。マーク１９８ａおよびマーク１９８ｂは、図形を含むマークの一例であり、マーク１９８ｃは文字を示すマークの一例である。図形を含むマークは、文字で示されるマークより広い面積を必要とする。したがって、隣接するマーク間の距離は一定ではない。そのため、ダイヤルユニット１００が隣接するポジション間で切り替わる場合に回転する角度も一定ではない。
【００２８】
防滴モルト１６０、ロック解除釦押さえ板１７０、両面テープ１８０および天板１９０は、それぞれ開口１６２、開口１７２、開口１８２および開口１９２を有する。開口１６２、開口１７２、開口１８２および開口１９２はそれぞれ、押下部１４２より大きく、回転軸Ａを中心とする開口である。ダイヤルユニット１００として各部材が組み付けられた場合、ロック解除釦１４０が有する押下部１４２は、開口１６２、開口１７２、開口１８２および開口１９２を通じて、天板１９０より上方向に突出する。したがって、押下部１４２は、ロック解除釦１４０を下方向に押し下げる押下操作を受け付けることができる。
【００２９】
図４に示されるように、ダイヤルユニット１００において、操作部材１１０は、突出部４００ａ、突出部４００ｂおよび突出部４００ｃを含む複数の突出部４００を、裏側面４２０に有する。複数の突出部４００は、回転軸Ａを中心として、環状に並ぶ。複数の突出部４００によって、凹部４１０ａ、凹部４１０ｂおよび凹部４１０ｃを含む複数の凹部４１０が、回転軸Ａの周りに形成される。複数の凹部４１０は、回転軸Ａを中心とした円環形状の突出部を、回転軸Ａを中心に放射状に切り込まれた形状を持つ。
【００３０】
複数の凹部４１０は、複数の貫通孔１２０に対応して設けられる。具体的には、複数の凹部４１０は、それぞれ対応する一つの貫通孔１２０が形成された場所に位置する。複数の凹部４１０は、互いに隣接する突出部４００で提供される側部と、裏側面４２０で提供される底部とにより形成される。したがって、複数の凹部４１０の各底部には、一つの貫通孔１２０が形成される。また、ロック解除釦１４０には、複数の凹部４１０に対応して複数の押込部材１５０が設けられる。そのため、図４に示すように、ロック解除釦１４０が最も押し下げられた場合、複数の押込部材１５０は、それぞれ対応する貫通孔１２０を貫通して、複数の凹部４１０のそれぞれの底部から突出する。
【００３１】
図３に示されるように、ロック・クリック部材３０は、操作部材２１０の凹部内に収容され、台座６０に固定される。ロック・クリック部材３０は、一つの凸部３３を有する。ロック・クリック部材３０は、板状のバネ部材から形成されてよい。例えば、ロック・クリック部材３０の凸部３３は、板状のバネ部材に対してプレス加工することにより形成されてよい。
【００３２】
ロック・クリック部材３０およびダイヤルユニット１００が台座６０に固定された場合、凸部３３は、操作部材１１０の凹部４１０ａが形成された位置に位置する。凸部３３は、各凹部４１０に嵌合する形状を持つ。なお、凸部３３および凹部４１０がきっちりと隙間なく嵌り合う必要はない。操作部材１１０の回転運動をロック・クリック部材３０が規制できる程度に、凸部３３が凹部４１０に入り込むことができればよい。すなわち、凸部３３と各凹部４１０との嵌合は、遊嵌合や隙間嵌めを含む概念であり、嵌め合いにより操作部材１１０の回転運動を規制する規制構造を提供できればよい。
【００３３】
ロック・クリック部材３０は、凸部３３が凹部４１０に嵌合するよう付勢する。ロック・クリック部材３０は、角度を持って折り曲げられた形状を有する。それにより、台座６０に固定された場合に、凸部３３は凹部４１０に嵌合する方向に付勢される。図５に示されるように、凸部３３は、上方向に付勢される。そのため、ロック解除釦１４０が押し下げられていない場合、凸部３３が凹部４１０に嵌合した状態になる。これにより、操作部材１１０の回転運動が規制される。
【００３４】
押下部１４２が下方向に押下されることにより、ロック解除釦１４０の全体が下方向に押し下げられ、一つの凸部３３が嵌合している凹部４１０に設けられた一つの押込部材１５０が、凸部３３を下方向に移動させる。ロック解除釦１４０が最も押し下げられた状態では、複数の押込部材１５０のうち一つ押込部材がロック・クリック部材３０の凸部３３を下方向に押込む。このとき、他の押込部材は、凸部３３だけでなく他の部材にも当接しない。押込部材１５０が凸部３３を下方向に移動させることにより、凹部４１０への凸部３３の嵌合深さは減少する。このように、押込部材１５０は、凸部３３を押し下げることにより、凸部３３による操作部材１１０の回転の規制力を減少させる。そのため、ロック解除釦１４０が押し下げられた状態で操作部材１１０を回転させる一定の力を操作部材１１０に加えた場合、操作部材１１０は回転する。具体的には、凸部３３が凹部４１０に最も嵌合した状態で操作部材１１０を操作する予め定められた力を操作部材１１０に加えた場合に、操作部材１１０はロック・クリック部材３０により係止されるが、押込部材１５０により凸部３３が下方向に最も移動した状態で操作部材１１０に当該予め定められた力を加えると、操作部材１１０はロック・クリック部材３０により係止されずに可動する。具体的には、操作部材１１０は、隣接する凹部４１０に凸部３３に嵌合するまで回転する。すなわち、ユーザが押下部１４２を下方向に押下した状態で操作部材１１０を回転させると、操作部材１１０の回転に応じて、ロック・クリック部材３０が有する一つの凸部３３が、複数の凹部４１０に順次に嵌合していく。
【００３５】
このように、ロック・クリック部材３０は、操作部材１１０が有する凹部４１０に嵌合して操作部材１１０の動きを規制する凸部３３を有する。ロック・クリック部材３０は、凸部３３を凹部４１０に嵌合させる上方向に付勢されている。そして、押込部材１５０は、凸部３３を上方向とは逆方向の下方向に移動させることにより、凸部３３が凹部４１０に嵌合する嵌合深さを減少させる。なお、凹部４１０は、操作部材１１０が有する被嵌合部の一例であり、凸部３３は、ロック・クリック部材３０が有する嵌合部の一例である。また、ロック・クリック部材３０は、操作部材１１０の動きを規制する弾性部材の一例である。押込部材１５０は、嵌合部が被嵌合部に嵌合する嵌合深さを減少させる移動部材の一例である。なお、凹部４１０は、溝形状や陥没形状等、種々の形状を有してよい。
【００３６】
図６は、凹部４１０ａに凸部３３が嵌合した状態を模式的に示す。図６は、突出部４００ａと突出部４００ａに隣接する突出部４００ｂとによって形成される凹部４１０ａに、凸部３３が嵌合した状態を示す。
【００３７】
凹部４１０ａは、突出部４００ａが有する側部４１６ａと、突出部４００ｂが有する側部４１６ｂと、裏側面４２０で提供される底部面４１１とにより形成される。側部４１６ａは、底部面４１１に略直交する側面４１２ａと、側面４１２ａから突出部４００ａの上部表面４０１ａまで続く上部面４１３ａとを持つ。側部４１６ｂは、底部面４１１に略直交する側面４１２ｂと、側面４１２ｂから突出部４００ｂの上部表面４０１ｂまで続く上部面４１３ｂとを持つ。上部面４１３ａおよび上部面４１３ｂは、それぞれ同様の面取り形状を有する。上部面４１３ａおよび上部面４１３ｂの形状については、図７、図８に関連して説明する。
【００３８】
ロック・クリック部材３０の凸部３３は、ロック・クリック部材３０が有する付勢力により凹部４１０に入り込む。ロック解除釦１４０がユーザによって押し下げられていない状態では、凸部３３は、凸部３３の上表面部３１が凹部４１０の底部面４１１に当接するまで、凹部４１０に入り込む。凸部３３は、上表面部３１と両側面との間に曲面部３２ａおよび曲面部３２ｂを有する。
【００３９】
ダイヤルユニット１００の内部に設けられるバネ部材１３０は、ロック解除釦１４０を押し上げる方向に力を加える。そのため、ロック解除釦１４０が押し下げられていない場合には、押込部材１５０に大きな上方向の力を与えなくとも、押込部材１５０は先端が底部面４１１から突出しない位置まで押し上げられた状態になる。そのため、ロック解除釦１４０が押し下げられていない場合には、ロック・クリック部材３０の凸部３３は、上表面部３１が底部面４１１に当接するまで、十分に凹部４１０ａへ入り込む。
【００４０】
図７は、ロック解除釦１４０が最も押し下げられた状態を模式的に示す。図６の状態からロック解除釦１４０が下方向に押し下げられると、押込部材１５０がロック・クリック部材３０の凸部３３を下方向に押し下げる。ロック解除釦１４０の下方向の移動は、操作部材１１０の底部１１３によって制限されて、図７に示すようにロック解除釦１４０が最大限に押し下げられた状態になる。
【００４１】
凹部４１０の上部面４１３ａは、上部表面４０１ａに続く第１上部面４１５ａと、側面４１２ａまで続く第２上部面４１４ａとを有する。凹部４１０の上部面４１３ｂは、上部表面４０１ｂに続く第１上部面４１５ｂと、側面４１２ｂまで続く第２上部面４１４ｂとを有する。第２上部面４１４ａおよび第２上部面４１４ｂは、Ｃ面の面取り形状を持つ。そして、第１上部面４１５ａおよび第１上部面４１５ｂは、Ｒ面の面取り形状を持つ。このように、凹部４１０の上部面４１３は、凹部４１０の上端から、Ｒ面の面取り形状を持つ第１上部面４１５と、第１上部面４１５に連続するＣ面の面取り形状を持つ第２上部面４１４とを有する。
【００４２】
図７に示されるように、ロック解除釦１４０が最大限に押し下げられた状態では、押込部材１５０の先端は、上部表面４０１ａおよび上部表面４０１ｂから高さｈだけ凹部４１０へ入り込んだ位置にある。すなわち、押込部材１５０の先端は、突出部４００の上部表面４０１より上方向に入り込んだ高さに位置する。
【００４３】
このように、押込部材１５０は、凹部４１０の底部から突出して下方向に移動して凸部３３の上面を下方向に押し込むことにより、凸部３３を下方向に移動させる。押込部材１５０は、凹部４１０の底部面４１１から凹部４１０の上端を超えない高さまで下方向に移動可能に設けられる。そのため、押込部材１５０により凸部３３が下方向に最も移動した状態で、凸部３３の上端は、凹部４１０の上端よりも凹部４１０へ入り込んだ位置にある。
【００４４】
具体的には、押込部材１５０の先端は、上部面４１３が形成された高さに位置する。すなわち、押込部材１５０により凸部３３が下方向に最も移動した状態で、凸部３３の上端は、上部面４１３が形成された高さに位置する。より具体的には、押込部材１５０の先端は、第２上部面４１４が形成された高さに位置する。すなわち、押込部材１５０により凸部３３が下方向に最も移動した状態で、凸部３３の上端は、第２上部面４１４が形成された高さに位置する。
【００４５】
図８は、操作部材１１０が回転した状態を模式的に示す。図７の状態から操作部材１１０が回転されると、突出部４００ｂが図８のＲ方向に移動して、側部４１６ｂが凸部３３に当接した状態になる。具体的には、上部面４１３ｂが凸部３３に当接した状態になる。より具体的には、第２上部面４１４ｂが凸部３３に当接した状態になる。図８に示されるように、第２上部面４１４ｂが、凸部３３の上端近傍部分、具体的には曲面部３２ｂに当接した状態になる。このように、押込部材１５０により凸部３３が下方向に最も移動した状態では、凸部３３は、曲面部３２ｂが第２上部面４１４に当接する高さに位置する。
【００４６】
図８に示したように、ロック解除釦１４０が最大限に押し込まれた状態でも、凸部３３の上表面部３１と凹部４１０の上部表面４０１との間には適度な段差ｈが残る。そのため、操作部材１１０が図８に示される状態からさらに回転されると、突出部４００ｂは、ロック・クリック部材３０が有する付勢力に抗して、凸部３３を下方向に押し下げながら、凸部３３に乗り上げていく。そして、突出部４００ｂは、凸部３３を乗り越えて次の凹部４１０に嵌る。かかるクリック構造によれば、突出部４００が凸部３３を乗り越える際に、適度なクリック感を与えることができる。
【００４７】
特に、ロック解除釦１４０が最大限に押し込まれた状態でダイヤルユニット１００を回転させると、Ｃ面を有する第２上部面４１４に凸部３３の曲面部３２が当接するので、適度な強度の抵抗感をユーザに与えることができる。そして、ダイヤルユニット１００をさらに回転させると、Ｒ面を有する第１上部面４１５が凸部３３の曲面部３２に当接しながら乗り上げが進行するので、突出部４００は突っかからずに滑らかに乗り上げることができる。特に、凸部３３の曲面部３２に、Ｃ面の第２上部面４１４が最初に当接して、その後にＲ面を有する第１上部面４１５、上部表面４０１の順に乗り上げが進行するので、最初に適度な抵抗感をユーザに与えた後は、ダイヤルユニット１００は滑らかに回転していく。各凹部４１０はそれぞれ両側部の上部面に上述した面取り形状を有するので、ダイヤルユニット１００は滑らかに次のポジションへ切り替わりつつ、切り替わる際に明瞭なクリック感をユーザに与えることができる。このため、ユーザは、ポジションが切り替わったことを指の感触で明瞭に感じ取ることができる。ダイヤルユニット１００を逆回転させる場合も同様である。
【００４８】
このように、撮影モードダイヤル２１においては、ロック機構を提供する部分とクリック機構を提供する部分を、一つのロック・クリック部材３０の一つの凸部３３で行うことができる。そのため、ロック機構およびクリック機構を、シンプルかつ小型化することができる。ひいては、撮影モードダイヤル２１が小型化することができる。また、モードダイヤルの多段化が容易になる。
【００４９】
ロック機構とクリック機構とを独立させた構成では、ロックが完全に解除されていない状態で操作すると、クリック機構が与える感触だけでなくロックが外れる際の感触をユーザに与えてしまう場合がある。しかし、撮影モードダイヤル２１によれば、一つのロック・クリック部材３０の一つの凸部３３でロック機構およびクリック機構を提供する。特に、撮影モードダイヤル２１のロックを解除する操作によって、撮影モードダイヤル２１のロックが解除された状態になると共に、クリック感をユーザに与えることができる状態となる。そのため、ユーザに二重の感触を与えることがない。
【００５０】
また、撮影モードダイヤル２１においては、ロック状態にある場合およびロック解除状態にある場合でも、ロック・クリック部材３０の変形により、ダイヤルユニット１００に加わる力が吸収される。このように、ロックを解除するためのロック解除釦１４０と、変形するロック・クリック部材３０とを独立させているので、段差を乗り上げる場合にロック解除釦１４０が強く上下するようなことがなく、強い振動が指に伝わることもない。そのため、安定した操作が可能となる。なお、撮影モードダイヤル２１においては、弾性部材であるロック・クリック部材３０でロック機構を実現しているので、ロック状態でダイヤルユニット１００を強い力で無理矢理に回転させても、ロック機構が破壊されにくい。また、例えばストラップが撮影モードダイヤル２１に当たったり、レリーズモードダイヤル２２を操作する場合にユーザの指等が撮影モードダイヤル２１に当たったりする程度の力で、撮影モードダイヤル２１が簡単に回転することを防ぐことができる。
【００５１】
また、撮影モードダイヤル２１とは異なりロック機構とクリック機構とを独立させた構成では、複数のポジションを不等間隔で設ける必要が有る場合に、同一円周上にロック機構およびクリック機構を組み込むことが困難になる。しかし、撮影モードダイヤル２１においては、一つのロック・クリック部材３０の一つの凸部３３でロック機構およびクリック機構を提供できるので、同一円周上に２つの機構を実装することができる。そのため、モードダイヤルを小径化することができる。
【００５２】
以上に説明したように、撮影モードダイヤル２１は、ロック・クリック部材３０および押込部材１５０により、操作部材１１０の動きを規制する規制構造を有する。かかる規制構造により、操作部材１１０の動きを適度に規制することが可能になる。
【００５３】
本実施形態においては、上部面４１３は、Ｃ面の第２上部面４１４と、Ｒ面の第１上部面４１５とを有する。しかし、第２上部面４１４をＣ面とし、第１上部面４１５をＲ面としてもよい。また、上部面４１３は、Ｃ面およびＲ面の一方の面取り形状を有してよい。上部面４１３は、Ｃ面およびＲ面以外の任意の面取り形状を有してよく、面取り形状を有しなくてもよい。また、上部面４１３ａの面取り形状と上部面４１３ｂの面取り形状とは、異なる面取り形状であってもよい。例えば、上部面４１３ａはＣ面のみの面取り形状を有し、上部面４１３ｂはＣ面およびＲ面の面取り形状を有してよい。また、上部面４１３ａはＲ面のみの面取り形状を有し、上部面４１３ｂはＣ面およびＲ面の面取り形状を有してよい。また、上部面４１３ａはＲ面のみの面取り形状を有し、上部面４１３ｂはＣ面のみの面取り形状を有してよい。また、凹部４１０の一方の側部４１６のみが、面取り形状を有してもよい。例えば、側部４１６ａは上部面に面取り形状を有さず、側部４１６ｂは上部面に面取り形状を有してもよい。なお、面取り形状とは、上部面４１３の形状を説明するための用語であり、上部面４１３を形成するための加工方法を特定するものではない。例えば、凹部４１０の角部が面取りすることによって上部面４１３が形成されることを必ずしも意味するものではない。
【００５４】
本実施形態では、ユーザがロック解除釦１４０を押し続けることで、ロック解除状態が維持される。しかし、ロック解除釦１４０は、押し下げられた状態を維持できる機構を有してもよい。
【００５５】
また、本実施形態では、回転式の操作部材１１０に適用されるロック機構およびクリック機構について説明した。しかし、同様のロック機構およびクリック機構は、回転式の操作部材以外の種々の操作部材に適用できる。例えば、一方向に可動な操作部材にも、同様のロック機構およびクリック機構を適用できる。例えば、操作部材の一方向の動きに応じて、操作部材に設けた複数の凹部に一つの凸部が順次に嵌合する機構を適用できる。
【００５６】
また、本実施形態では、カメラ１０を操作機器の一例として取り上げた。しかし、カメラ１０以外にも、種々の電子機器を操作機器として適用できる。電子機器は、携帯型の電子機器であってもよく、据置き型の電子機器であってもよい。また、操作装置により機械式に操作される種々の機器を、操作機器として適用することもできる。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５９】
１０  カメラ、２０  操作ユニット、２１  撮影モードダイヤル、２２  レリーズモードダイヤル、３０  ロック・クリック部材、３１  上表面部、３２  曲面部、３３  凸部、３８  ネジ、４０  クリック部材、５０  ロック部材、５２  押下部材、５４  突出部、６０  台座、６６  収容部、８０  筺体、９０  ストラップ取付部、１００  ダイヤルユニット、１１０  操作部材、１１１  凹凸部、１１３  底部、１１４  収容部、１１５  ネジ穴、１１６  回動軸、１１７  突起部、１１８  孔部、１２０  貫通孔、１３０  バネ部材、１４０  ロック解除釦、１４２  押下部、１４８  突起部、１５０  押込部材、１６０  防滴モルト、１６２  開口、１７０  板、１７２  開口、１７５  ネジ、１８０  両面テープ、１８２  開口、１９０  天板、１９２  開口、１９８  マーク、２００  ダイヤルユニット、２１０  操作部材、２１４  収容部、４００  突出部、４０１  上部表面、４１０  凹部、４１１  底部面、４１２  側面、４１３  上部面、４１４  第２上部面、４１５  第１上部面、４１６  側部、４２０  裏側面
【図１】
2014056703.tif 000003
【図２】
2014056703.tif 000004
【図３】
2014056703.tif 000005
【図４】
2014056703.tif 000006
【図５】
2014056703.tif 000007
【図６】
2014056703.tif 000008
【図７】
2014056703.tif 000009
【図８】
2014056703.tif 000010